(57)【要約】【課題】  鏡の外周寄りの箇所にリング状の透光部があっても、ＬＥＤ光源からの照明光が遮光されることなく、透光部全体から照明むらなく均等に出射されるようにする。【解決手段】  鏡を備えた鏡側とＬＥＤ光源を備えた光源側があり、鏡側は鏡面部の周囲にリング状の透光部がある鏡と止め具と鏡側治具があり、止め具と鏡側治具は鏡面部裏面に固定されており、光源側はＬＥＤ光源を備え、ＬＥＤ光源が壁や洗面台等の設置箇所に取り付ける光源側治具の内側にリング状に取り付けられており、前記鏡側治具と光源側治具を連結することにより鏡側と光源側が連結されて、ＬＥＤ光源が鏡の鏡面部の背面であって鏡面部の側方内側に配置されるようにした。止め具と鏡側治具を鏡面部裏面にミラーマットで固定した。【選択図】図１
2019154994.tif 000002
【特許請求の範囲】
【請求項１】
鏡本体の背面側に設けたＬＥＤ光源からの照明光が鏡本体の透光部から出射されて、鏡の前方を照明できる照明付き鏡において、
鏡を備えた鏡側とＬＥＤ光源を備えた光源側があり、
鏡側は鏡面部の周囲にリング状の透光部がある鏡と止め具と鏡側治具があり、止め具と鏡側治具は鏡面部裏面に固定されており、
光源側はＬＥＤ光源を備え、ＬＥＤ光源が壁や洗面台等の設置箇所に取り付ける光源側治具の内側にリング状に取り付けられており、
前記鏡側治具と光源側治具を連結することにより鏡側と光源側が連結されて、ＬＥＤ光源が鏡の鏡面部の背面であって鏡面部の側方内側に配置される、
ことを特徴する照明付き鏡。
【請求項２】
請求項１記載の照明付き鏡において、
鏡側治具と止め具が、鏡の鏡面部裏面にミラーマットで接着固定されている、
ことを特徴する照明付き鏡。
【請求項３】
請求項１又は請求項２記載の照明付き鏡において、
鏡側治具と光源側治具は連結・分離可能に連結されている、
ことを特徴する照明付き鏡。
【請求項４】
請求項１から請求項３のいずれか１項に記載の照明付き鏡において、
鏡側治具の止め具がネジである、
ことを特徴する照明付き鏡。
【請求項５】
請求項１から請求項４のいずれか１項に記載の照明付き鏡において、
鏡側治具の内面と支持板の内面に反射材を設けた、
ことを特徴する照明付き鏡。
【発明の詳細な説明】
【技術分野】
【０００１】
本発明は鏡の背面に設けたＬＥＤからの照明光が鏡の透光部から照射されるようにした照明付き鏡に関する。
【背景技術】
【０００２】
前記のような照明付き鏡は公知である（特許文献１〜３）。特許文献１〜３記載の照明付き鏡は、鏡の一部に透光部があり、鏡の背面に設けたＬＥＤからの光（照明光）が透光部を通して鏡の前方に照射するようにしてある。
【０００３】
特許文献１、２記載の照明付き鏡はいずれもＬＥＤが鏡の透光部の真後ろにあるため、直進性のあるＬＥＤ光が透光部から鏡の前面にビーム状に出射して眩しくなる。また、多くのＬＥＤからの光が直接照射されて点状照射になるため、ＬＥＤ光の部分だけが局部的に明るくなり、透光部の明るさにむらができやすい。
【０００４】
特許文献３記載の照明付き鏡は、ＬＥＤが透光部の側方にあるため眩しさが軽減され、また、ＬＥＤを透光部の真後ろに設ける場合よりも照明付き鏡を薄型化できるという利点がある。
【０００５】
照明付き鏡には各種形状、サイズ、重量のものがあり、透光部の位置、形状も各種ある。一例として、図１３のように、鏡Ａの左右両側寄りの箇所に透光部Ｂが二本平行に形成されたもの、図１４（ａ）のように鏡Ａの外周寄りの箇所に透光部Ｂがリング状（角形リング状）に形成されているもの、図１４（ｂ）のように鏡Ａの外周寄りの箇所に透光部Ｂが略リング状（角形リング状の一部が欠けている状態）に形成されているもの、図１４（ｃ）のように鏡Ａの外周寄りの箇所に透光部Ｂが断続的に略リング状に形成されているもの等々がある。
【０００６】
照明付き鏡は、鏡の周縁部に枠（フレーム）を取り付けて額装し、額を壁や洗面台等（以下、「設置箇所」という。）に取り付けるとか、額の背板に支持脚を取り付けてスタンド形式にするとか、額装せずに設置箇所に取り付けるなどして使用されている。
【０００７】
図１２のように縦長方形の鏡Ａの左右両側に並行に透光部Ｂのある照明付き鏡の場合、鏡Ａの裏面に側面視コ字形の取付け治具ＣをミラーマットＤで貼り付けた鏡側Ｅと、方形枠状のフレームＦにＬＥＤ光源Ｇを取り付けた光源側Ｈに分離可能とし、鏡側Ｅの取付け治具Ｃを光源側ＨのフレームＦの内側にセットし、フレームＦの外側から取付け治具ＣにビスＩをねじ込んで鏡側Ｅと光源側Ｈを連結している。
【０００８】
図１２のように、透光部Ｂが鏡Ａの左右両側にある場合は、取付け治具Ｃを鏡Ａの裏面に貼り付けても、ＬＥＤ光源Ｇからの照明光は取付け治具Ｃで遮光されることなく、透光部Ｂから出射され、照明に明るさむらが生じない。
【０００９】
しかし、透光部Ｂが図１４（ａ）のようにリング状である場合、または図１４（ｂ）（ｃ）のように略リング状である場合は、ＬＥＤ光源Ｇからの照明光がそれら透光部Ｂから出射されるようにするためには、ＬＥＤ光源Ｇを透光部Ｂの内側にリング状又は略リング状に配置することになる。この場合、図１２のように鏡Ａの裏面に取付け治具ＣをミラーマットＤで貼り付けると、ＬＥＤ光源Ｇからの照明光が取付け治具Ｃで遮光されて透光部Ｂから出射し難くなる。取付け治具Ｃで遮光されないようにするためには、取付け治具Ｃを小さくするとか、ＬＥＤ光源Ｇを透光部Ｂの外側の鏡面部Ｊ（図１４（ａ）〜（ｃ））の背面に設けることが考えられる。しかし、取付け治具Ｃを小さくするとミラーマットのサイズも小さくなるため、鏡Ａのサイズが大きく、重い場合は、ミラーマットＤの耐荷重性が不足して鏡Ａを支持できないとか支持が不安定になるといった問題がある。ＬＥＤ光源Ｇを透光部Ｂの外側の鏡面部Ｊの背面に設けると、サイズの大きなミラーマットＤを使用できるため、前記問題は解消されるが、外側の鏡面部Ｊの幅が狭い場合は、ＬＥＤ光源Ｇと透光部Ｂとの距離が近くなるため、多くのＬＥＤを設けると透光部Ｂから出射される照明光に明るさむらが生じるという問題がある。鏡Ａの外周にフレームを取り付けて額装すると前記問題は生じないが、場合によって額装できないとか、額装したくないといったことがある。これらの場合は前記問題を解消することはできない。また、図１３のＫはフレームＦの内面に取り付けた背板である。
【先行技術文献】
【特許文献】
【００１０】
【特許文献１】特開２００８−２２０４９３号公報
【特許文献２】実用新案登録第３１６７５６２号公報
【特許文献３】特開２０１４−２０３６８８号公報
【発明の概要】
【発明が解決しようとする課題】
【００１１】
本発明の課題は、透光部がリング状又は略リング状（以下、両者をまとめて「リング状」という。）である鏡であっても、重い鏡であっても、設置箇所に容易かつ確実に取り付けることができ、しかも、ＬＥＤ光源からの照明光が取付け治具で遮光されることなく照明むらが生じにくくなるようにすることにある。
【課題を解決するための手段】
【００１２】
本発明の照明付き鏡は、鏡の背面に設けたＬＥＤ光源からの照明光が、鏡の透光部から鏡の前方に出射して鏡の前方を照明できる照明付き鏡であり、鏡を備えた鏡側とＬＥＤ光源を備えた光源側があり、鏡側は鏡面部の周囲にリング状の透光部（非鏡面部）がある鏡と止め具と鏡側治具があり、止め具と鏡側治具は鏡面部裏面に固定されている。鏡側治具と止め具は鏡の鏡面部裏面にミラーマットで接着固定することができる。光源側はＬＥＤ光源を備え、ＬＥＤ光源が壁や洗面台等の設置箇所に取り付ける光源側治具の内側にリング状に取り付けられており、前記鏡側治具と光源側治具を連結することにより鏡側と光源側が連結されて、ＬＥＤ光源が鏡の鏡面部の背面であって鏡面部の側方内側に配置される照明付き鏡である。鏡側治具と光源側治具は連結・分離可能に連結するのが望ましい。止め具はネジのような細いものにするのが望ましい。鏡側治具の内面に反射材を設けるのが望ましい。本発明におけるリング状とは、角形、円形、ハート形、菱形といった任意形状のリング状、それらの一部が断続している略リング状の全てを含むものである。
【発明の効果】
【００１３】
本発明の照明付き鏡は次の効果を奏する。
（１）鏡側治具と止め具が鏡の鏡面部背面に固定されているため、鏡側治具を光源側治具に取り付けても、ＬＥＤ光源からの照明光が鏡側治具と止め具で遮光されることなく、鏡のリング状の透光部全体から均等に出射され、照明むらができない。
（２）鏡側治具と止め具を鏡面部裏面にミラーマットで接着すれば、重い鏡でも、大きい鏡であっても確実に取り付け可能である。
（３）鏡側治具と光源側治具とを連結・分離可能とすれば、両治具を分離して、光源側治具を設置箇所に取り付けてから、鏡側治具を光源側治具に連結できるため、設置箇所への取り付けが容易である。
（４）ＬＥＤが鏡面部の背面であって透光部の側方内側に設けられているので、ＬＥＤからの照明光が透光部に直進せず、眩しさが軽減される。
（５）鏡側治具の内面に反射材を設ければ、照明光が反射材で反射されて増光され、鏡面治具の内面全般に広がり、透光部から出射する照明光がＬＥＤ光そのものよりも明るくなる。
【図面の簡単な説明】
【００１４】
【図１】本発明の照明付き鏡の一例であって、鏡側から見た斜視図。
【図２】本発明の照明付き鏡の一例であって、鏡側と光源側の斜視図。
【図３】本発明の照明付き鏡の分解説明図。
【図４】本発明の照明付き鏡の鏡側の組立図であって、支持板を止め具で鏡側治具に取り付けた状態の斜視図。
【図５】本発明の照明付き鏡の鏡側の組立図であって、鏡側治具に取り付けた支持板にミラーマットを貼り付けた状態の斜視図。
【図６】本発明の照明付き鏡を壁に取り付ける途中の取付け説明断面図。
【図７】本発明の照明付き鏡を壁に取り付けた状態の断面図。
【図８】本発明の照明付き鏡の鏡側の他例の組立説明図。
【図９】（ａ）は図８の鏡側の組立説明図、（ｂ）は（ａ）の組立手順で組み立てた鏡側の背面斜視図。
【図１０】本発明の他の照明付き鏡を壁に取り付ける途中の取付け説明断面図。
【図１１】本発明の他の照明付き鏡を壁に取り付けた状態の断面図。
【図１２】従来の照明付き鏡の説明図であって、鏡側と光源側の分解側面図。
【図１３】従来の照明付き鏡の組立図。
【図１４】（ａ）はリング状の透光部を備えた鏡の正面図、（ｂ）は略リング状の透光部を備えた鏡の正面図、（ｃ）は透光部を断続リング状に備えた鏡の正面図。
【発明を実施するための形態】
【００１５】
（実施形態１）
本発明の照明付き鏡の実施形態１を図面に基づいて説明する。図１の照明付き鏡１は鏡Ａを備えた鏡側２（図２）と、ＬＥＤ光源３を備えた光源側４（図２）から構成される。鏡側２は箱型の鏡側治具５を、光源側４は内側開口の箱側の光源側治具６を備えており、光源側治具６は鏡側治具５よりも一回り大きなサイズの縦長角型であり、その内側に鏡側治具５を嵌め込む（嵌合する）ことができるようにしてある。嵌合してから光源側治具６の外周四方から鏡側治具５に止め具（例えば、ビス）７をねじ込むことにより、鏡側２と光源側４が連結される。
【００１６】
［鏡側］
鏡側２は、縦長方形の枠状の鏡側治具５（図３）の内側に、支持板９（図３）が止め具（例えば、ネジ）１０で固定され（図３、図４）、支持板９の外面（図３、図４の左側面）にミラーマット１１が貼られ（図５）、ミラーマット１１に鏡Ａが貼り付けられている。この場合、鏡側治具５と支持板９との間に筒状のスペーサ１３（図３）を入れて、鏡側治具５と支持板９との間にスペーサ１３の長さ分の空間（光通路）１４（図６）を確保してある。ミラーマット１１には汎用のミラーマットを使用することができる。汎用のミラーマットは、樹脂板、ゴム板等の弾性板の両面が接着面となっている。
【００１７】
鏡Ａは縦長板状であり、外周縁部に透光部Ｂがリング状に設けられており、透光部Ｂの外側が外側鏡面部（像が写る鏡面）１７、内側が内側鏡面部（像が写る鏡面）１８となっている。鏡Ａは円盤状、縦長楕円形といった任意形状であってもよい。透光部Ｂは透明、半透明、不透明のいずれであってもよく、着色されていても、着色されていなくてもよい。透光部の位置、透光部の形状、広さ等は任意に設計することができる。形状は鏡Ａの形状に合わせて、例えば、円盤状、縦長楕円形、ハート形、星形、月形、波形といった図形、模様といった任意の形状、デザインとすることができる。場合によっては宣伝用の社名や漢字、アルファベット、平仮名、片仮名等（文字）や数字等とすることもできる。透光部Ｂは図１４（ｂ）のような角形リングであって一部が途切れている略リング状であってもよく、図１４（ｃ）のような断続的な円形リング状であってもよい。鏡Ａは外側鏡面部１７がないものであってもよい。
【００１８】
鏡側治具５は金属製であり、縦長枠状である。支持板９はアルミ板、ＳＵＳ板等の板材である。図３の実施例では軽量化の面からアルミ板を使用してある。鏡側治具５の内周面と支持板９（図９（ａ））の内面には反射材１５（図６）が貼られている。反射材１５はシート状、フィルム状、板状等であり、図６の実施例では汎用の表面ホワイトフィルム、例えば、東レ株式会社製のルミナー（登録商標。以下同じ。）を使用してあるが、他の反射材を用いることもできる。反射材はシートを貼るのではなく、塗料を塗布（コーティング）することもできる。
【００１９】
［光源側］
光源側４（図２）は、縦長方形枠状の光源側治具６（図６）の開口部２１の内側に、背板２２（図６）があり、背板２２の内側に光源枠２３が取付けられており、その光源枠２３の外周面にＬＥＤ光源３が取り付けられている。ＬＥＤ光源３には基板に多数のＬＥＤが取り付けられたＬＥＤモジュールを使用することができる。背板２２には各種板材を使用できるが、強度、軽量化の面から汎用のアルミ複合板が使用されている。光源枠２３は帯状の金属板であり、縦向きにして背板２２の内面にリング状に取り付けてある。光源枠２３はアルミ製をはじめとして各種材質製とすることができるが、熱伝導性に優れたものが適する。例えば、樹脂に熱伝導性に優れた炭素繊維を混合した材料でも使用可能である。ＬＥＤ光源３には汎用のＬＥＤが使用されており、光源枠２３の外周面全周に略一定間隔で取り付けてある。光源枠２３は鏡Ａのリング状の透光部Ｂよりも小さいリング状にしてある。汎用のアルミ複合板は二枚の薄いアルミ板間に樹脂が挟まれているのが一般的である。
【００２０】
ＬＥＤ光源３の電源には商用電源を用いることができる。この場合、電源コード２７（図６）を光源側４の背板２２の孔２８（図６）から外側に引き出しておき、電源コード２７の先端のプラグをコンセントに差し込めるようにしておけばよい。
【００２１】
［組み立て］
鏡側２と光源側４は図２のように、鏡側治具５を光源側治具６の内側に嵌合し、光源側治具６の外側から鏡側治具５に止め具７をねじ込んで、両治具５、６を図１のように連結して（組み立てて）照明付き鏡１とすることができる。組み立てることにより、ＬＥＤ光源３が鏡Ａの透光部Ｂの内側に配置されて、ＬＥＤ光源３から出射される照明光が鏡Ａの透光部Ｂの後ろ側方から入射するようにしてある。
【００２２】
連結した鏡側治具５と光源側治具６の間から内部に水や粉塵が入りこまないように、鏡側治具５と光源側治具６の間にはゴム製或いは樹脂製のパッキンなどのシーリング材を設けておくのが好ましい。
【００２３】
［壁、洗面台等への取り付け］
本発明の照明付き鏡１は壁や洗面台等（設置箇所）に取り付けたり、他の箇所に設置したりすることができる。一例として壁に取り付ける場合について説明する。
（１）図６のように、光源側治具６を止め具（ネジ）２６で設置箇所Ｗに取り付ける。
（２）前記取り付け後の光源側治具６の内側に鏡側治具５を嵌合し、光源側治具６の外周四方から鏡側２まで止め具（ビス）２５をねじ込んで、図７のように両治具５、６を連結し、鏡側２を光源側４に固定する。
【００２４】
（実施形態２）
本発明の照明付き鏡の実施形態２を図面に基づいて説明する。実施形態２の基本的構成は実施形態１と同じであり、異なるのは図８のように、支持板９から鏡側治具５までねじ込んだ止め具１０の先端にナット１６を螺合し、ナット１６を締め付けて図９（ｂ）、図１０のように止め具１０を鏡側治具５に固定することである。
【００２５】
［組み立て］
この鏡側２と光源側４は図１０、図１１のように、鏡側治具５を光源側治具６の内側に嵌合し、光源側治具６の外側からビス２５をねじ込んで、両治具５、６を連結して、鏡側２と光源側４を組み立てて照明付き鏡１にする。
【００２６】
［取り付け］
照明付き鏡１を壁面や洗面台等の設置箇所に取り付けるには次のようにして取り付けることができる。
（１）図１０のように、光源側治具６を止め具（ネジ）２６で設置箇所Ｗに取り付ける。
（２）図１１のように、前記取り付け後の光源側治具６の内側に鏡側治具５を嵌合し、光源側治具６の外周四方から鏡側治具５までビス２５をねじ込んで、両治具５、６を連結して、図１１のように鏡側２を光源側４に固定する。
【産業上の利用可能性】
【００２７】
本発明の照明付き鏡は、通常の鏡と同様、洗面所、浴室、トイレ、試着室、理容室、美容室等に設置して使用することができる。可能であれば、屋外に設置することもできる。鏡Ａの表面、或いはその外側近傍、或いは鏡Ａを配置した室内に、人感センサを設けて、それにより、人が感知されたらＬＥＤ光源が点灯するようにしておくこともできる。
【符号の説明】
【００２８】
１    照明付き鏡
２    鏡側
３    ＬＥＤ光源
４    光源側
５    鏡側治具
６    光源側治具
７    止め具（ビス）
９    支持板
１０    止め具（ネジ）
１１    ミラーマット
１３    スペーサ
１４    空間（光通路）
１５    反射材
１６    ナット
１７    外側鏡面部
１８    内側鏡面部
２１    （光源側治具の）開口部
２２    背板
２３    光源枠
２５    止め具（ビス）
２６    止め具（ネジ）
２７    電源コード
２８    （背板の）孔
Ａ      鏡
Ｂ      透光部
Ｃ      取付け治具
Ｄ      ミラーマット
Ｅ      鏡側
Ｆ      フレーム
Ｇ      ＬＥＤ光源
Ｈ      光源側
Ｉ      ビス
Ｊ      鏡面部
Ｋ      背板
Ｗ      設置箇所
【図１】
2019154994.tif 000003
【図２】
2019154994.tif 000004
【図３】
2019154994.tif 000005
【図４】
2019154994.tif 000006
【図５】
2019154994.tif 000007
【図６】
2019154994.tif 000008
【図７】
2019154994.tif 000009
【図８】
2019154994.tif 000010
【図９】
2019154994.tif 000011
【図１０】
2019154994.tif 000012
【図１１】
2019154994.tif 000013
【図１２】
2019154994.tif 000014
【図１３】
2019154994.tif 000015
【図１４】
2019154994.tif 000016